(57)【特許請求の範囲】
【請求項１】
動画情報が記録される記録媒体と、
所定の分割間隔の第１の分割時刻を画像分割時刻として設定する分割時刻設定手段と、
上記画像分割時刻で、上記記録媒体に記録されている動画情報を夫々分割する分割手段と、
表示手段の画面領域を複数の小画面領域に分割し、この分割された複数の小画面領域の夫々に対応させて、上記画像分割時刻で分割された動画情報を夫々インデックス画像として表示するとともに、各画面の中に経過時間を表示するよう制御する表示制御手段と、
上記インデックス画像を更新する場合に、オフセット時間を新たに設定するオフセット時間設定手段と
を備え、
上記画面領域が複数の小画面領域に分割されて上記インデックス画像が全て表示された状態で、上記複数の小画面領域のうちの一つが選択されると、上記画面領域に含まれる動画映出用小画面領域に、選択された小画面領域のインデックス画像に対応する動画像が表示され、
表示されたインデックス画像を更新する場合には、上記分割手段は、上記所定間隔に上記オフセット時間を加えた第２の分割時刻で、上記記録媒体に記録されている動画情報を夫々分割すると共に、上記表示制御手段は、新たに分割された動画情報をインデックス画像として表示する
ようにした画像情報の表示装置。
【請求項２】
上記オフセット時間設定手段によって新たなオフセット時間が設定された場合に、
上記分割時刻設定手段が、上記第１の分割時刻に上記新たなオフセット時間を加えた時刻を新たな画像分割時刻として設定し、
上記分割手段が、新たな画像分割時刻で上記記録媒体に記録されている動画情報を夫々分割し、
上記表示制御手段が、新たに分割された動画情報をインデックス画像として表示する
請求項１に記載の画像情報の表示装置。
【請求項３】
上記オフセット時間設定手段は、上記インデックス画像を更新する場合に、オフセット時間を１分ずつ増加させて設定する
請求項２に記載の画像情報の表示装置。
【請求項４】
上記複数の小画面領域のうちの一つが選択され、決定された場合に、
上記表示制御手段が、決定された小画面領域のインデックス画像に対応する動画像を上記画面領域の全領域に表示するように制御する
請求項３に記載の画像情報の表示装置。
【発明の詳細な説明】
【技術分野】
【０００１】
この発明は、受信番組を絶えず記録媒体に記録するようなテレビジョン受像機に用いて好適な画像情報の表示装置及び方法に関する。
【背景技術】
【０００２】
テレビジョン放送を楽しんでいる最中に、突然、電話の呼出しが鳴ったり、来客があり、放送番組を見逃してしまうことが良くある。テレビジョン放送番組を見逃してしまうと、再放送される番組を除いて、その番組は二度と見ることはできない。短期間のうちに再放送される番組はまれであり、ニュース番組やスポーツ番組は、殆どの場合には、再放送されていない。したがって、多くの場合、テレビジョン放送番組を見逃してしまうと、その番組は二度と見ることはできないことになる。
【０００３】
また、映画やドラマの名場面、重要人物のインタビュー、スポーツ番組のハイライトシーン等、放送番組を見ていて、保存しておきたい場面が突然に始まる場合がある。このような場合、直ちにＶＴＲをセットしても、その場面に間に合わず、その場面を録画できないようなことが良くある。
【０００４】
そこで、本願発明者は、放送番組を見ている最中に、その番組を絶えず記録媒体に記録するようなテレビジョン受像機を提案している。このようなテレビジョン受像機では、突然の電話の呼出しや来客があっても、その番組を遡って再生することができ、番組を見逃すことがなくなる。また、その番組を簡単に保存しておくことができ、記録しておきたい番組が突然始まっても対処できる。
【０００５】
また、本願発明者は、このように番組を絶えず記録媒体に記録するようなテレビジョン受像機における記録媒体として、ハードディスクドライブを用いることを提案している。従来、ビデオ信号を記録する記録媒体としては、磁気テープが広く用いられている。ところが、磁気テープはアクセス速度が遅く、このようなテレビジョン受像機に用いられる記録媒体として用いるのは困難である。また、半導体メモリを用いることが考えられるが、大容量の半導体メモリは非常に高価であると共に、半導体メモリでは、電源が落とされると保存しておいた番組が消えてしまい、番組を長く保存しておくような場合に不向きである。これに対して、ハードディスクドライブは、大容量で、アクセス速度も十分に速い。
【０００６】
このように番組が絶えず記録媒体に記録されるようなテレビジョン受像機において、記録媒体としてハードディスクドライブを用いると、ハードディスクドライブは大容量であるから、長時間の番組の保存が可能となる。更に、高能率符号を用いてビデオ信号を圧縮して記録するようにすれば、より長時間の記録が可能になる。
【発明の開示】
【発明が解決しようとする課題】
【０００７】
ところが、番組の記録時間が長くなると、ユーザが所望のシーンを検索することが難しくなる。例えば、１Ｇバイト程度の容量のハードディスクドライブを用い、モーションＪＰＥＧで圧縮してビデオ信号を記録すると、６０分程度の記録時間が確保できることになる。ところが、このような長時間の記録画面の中から、所望のシーンを検索して、再生させるのは容易ではない。
【０００８】
そこで、予めインデックス画像として区別された画像を録画しておき、このインデックス画像を決まった手順により読み出して検索を行なう方法、シーンチェンジを検出し、シーンチェンジ時点の検出画像をインデックス画像として検索を行なう方法、録画時間を所定時間毎に単純に分割し、各時間帯毎の代表的な画像をインデックスとして用いる方法等が考えられる。
【０００９】
ところが、予めインデックス画像として区別された画像を録画しておき、このインデックス画像を決まった手順により読み出して検索を行なう方法では、決まったインデックス画像を録画する必要があり、受信画面を録画した内容を検索する場合には適用できない。また、再生画面のシーンチェンジを検出し、シーンチェンジが起こった所をインデックスとする方法では、シーンチェンジを検出するための相関検出回路や動き検出回路が必要であり、回路規模の増大やコストアップを招く。また、録画時間を所定時間毎に単純に分割し、各時間帯毎の代表的な画像をインデックスとして用いる方法では、検索画像の位置を識別できるような意味のある画像になるとは限らないため、効率的な検索を行なえない。
【００１０】
また、上述のように、受信画面をハードディスクドライブに記録する場合、ビデオデータは圧縮されて記録されるため、録画時間を所定時間毎に単純に分割してインデックス画像を形成することは困難である。
【００１１】
つまり、このように受信画面をハードディスクドライブ装置に記録する場合、記録時間の向上を図るために、ビデオデータが圧縮される。ビデオデータの圧縮処理方式としては、ＭＰＥＧ（Motion Picture Experts Group）方式やモーションＪＰＥＧ（Joint Photographics Coding Group）方式が知られている。ＭＰＥＧ方式は、圧縮効率は高いが、時間軸方向の圧縮が行なわれるため、フィールド単位での検索や変速再生が困難になる。そこで、このように受信画面をハードディスクに記録する場合には、モーションＪＰＥＧ方式でビデオデータを圧縮することが考えられる。
【００１２】
ところが、モーションＪＰＥＧ方式では、絵柄等により画面の圧縮率が異なる。このため、ビデオデータをモーションＪＰＥＧで圧縮を行なってハードディスクドライブに記録するようにした場合、ハードディスクドライブのアドレスと録画時間との対応がとれなくなる。このため、ハードディスクドライブのアドレスから録画時間を単純に求めることはできなくなり、録画時間を所定時間毎に分割して表示することが困難である。
【００１３】
したがって、この発明は、記録画面の中から所望のシーンや番組を簡単に検索できると共に、回路規模の増大やコストアップを招くことがない画像情報の表示装置を目的とする。
【課題を解決するための手段】
【００１４】
上記課題を解決するために、この発明は、動画情報が記録される記録媒体と、
所定の分割間隔の第１の分割時刻を画像分割時刻として設定する分割時刻設定手段と、
画像分割時刻で、記録媒体に記録されている動画情報を夫々分割する分割手段と、
表示手段の画面領域を複数の小画面領域に分割し、この分割された複数の小画面領域の夫々に対応させて、第１の分割時刻で分割された動画情報を夫々インデックス画像として表示するとともに、各画面の中に経過時間を表示するよう制御する表示制御手段と、
インデックス画像を更新する場合に、オフセット時間を新たに設定するオフセット時間設定手段と
を備え、
画面領域が複数の小画面領域に分割されてインデックス画像が全て表示された状態で、複数の小画面領域のうちの一つが選択されると、画面領域に含まれる動画映出用小画面領域に、選択された小画面領域のインデックス画像に対応する動画像が表示され、
表示されたインデックス画像を更新する場合には、分割手段は、所定間隔にオフセット時間を加えた第２の分割時刻で、記録媒体に記録されている動画情報を夫々分割すると共に、表示制御手段は、新たに分割された動画情報をインデックス画像として表示するようにした画像情報の表示装置である。
【００１７】
この発明では、オーバービュー検索キーが押されると、表示画面が複数の小画面に分割され、各分割画面には、所定時間毎のハードディスクドライブに記録された動画情報のインデックス画像がインデックス画像の経過時間とともにそれぞれ分割表示される。そして、小画面に分割表示されたインデックス画像のうち、再生したい動画情報のインデックス画像を選択することにより、画面領域に含まれる動画映出用小画面領域に選択されたインデックス画像に対応する動画像が表示される。
【００１８】
また、この発明では、新たにオフセット時間が設定されると、異なる画像分割時間で分割された動画情報のインデックス画像が小画面領域に表示される。新たなインデックス画像は、オフセット時間を１分ずつ増加させて設定することにより得る。
【００１９】
さらに、この発明では、複数の小画面領域のうちの一つが選択され、決定された場合に、決定された小画面領域のインデックス画像に対応する動画像が画面領域の全領域に表示される。
【発明の効果】
【００２０】
したがって、画面領域に経過時間が表示されたインデックス画像が表示されることにより所望の再生開始位置を簡単に検索することができる。また、これらの小画面領域のいずれかに表示されたインデックス画像を選択して画面領域に含まれる動画映出用小画面領域に選択されたインデックス画像に再生開始位置が対応する動画像を表示させることにより、所望の再生開始位置であるかどうかをより詳細に確認できる。
【発明を実施するための最良の形態】
【００２１】
以下、この発明の実施の形態について図面を参照して説明する。この発明は、テレビジョン受像機にハードディスクドライブが内蔵されているテレビジョン受像機に適用される。このようなハードディスクドライブが備えられたテレビジョン受像機では、見逃したシーンや再度見たいシーンを遡って再生したり、所望の番組を記録再生したりというようなことが可能になる。
【００２２】
図１は、この発明が適用されたテレビジョン受像機の構成を示すものである。図１において、アンテナ１で受信された受信信号は、チューナ回路２に供給される。チューナ回路２には、システムコントローラ１０からチャンネル設定信号が供給される。チューナ回路１０で、このチャンネル設定信号に基づいて、所望の受信チャンネルの信号が選択され、この信号が中間周波数信号に変換される。
【００２３】
チューナ回路２の出力が映像中間周波数回路３に供給される。映像中間周波数回路３で、チューナ回路２からの中間周波数信号が増幅され、この信号がビデオ検波される。これにより、例えばＮＴＳＣ方式のコンポジットビデオ信号が得られる。このビデオ信号がビデオソース切り替えスイッチ５の一方の入力端子５Ａに供給される。また、中間周波数回路３の出力の例えば４．５ＭＨｚのビート成分から音声信号が検波される。この出力が音声復調回路１２に供給される。
【００２４】
ビデオソース切り替えスイッチ５の他方の入力端子５Ｂには、外部ビデオ入力端子６からのビデオ信号が供給される。ビデオソース切り替えスイッチ５には、システムコントローラ１０からセレクト信号が供給される。ビデオソース切り替えスイッチ５により、受信されたテレビジョン放送に基づくビデオ信号と、外部ビデオ入力端子６からのビデオ信号とが切り替えられる。
【００２５】
ビデオソース切り替えスイッチ５の出力がビデオ信号処理回路７に供給される。ビデオ信号処理回路７により、ＮＴＳＣ方式のコンポジットビデオ信号から輝度信号Ｙとクロマ信号Ｃとが分離され、更に、クロマ信号Ｃから色差信号Ｕ、Ｖが復調され、コンポーネントビデオ信号Ｙ、Ｕ、Ｖが形成される。このコンポーネントビデオ信号Ｙ、Ｕ、Ｖは、スイッチ回路８の端子８Ａに供給されると共に、ビデオ信号をハードディスクドライブ３０に保存するために、Ａ／Ｄコンバータ２１に供給される。スイッチ回路８の他方の入力端子８Ｂには、ハードディスクドライブ３０からの再生画面を出力するために、Ｄ／Ａコンバータ３５の出力が供給される。
【００２６】
スイッチ回路８は、受信しているテレビジョン放送又は外部ビデオ入力端子６からのビデオ信号に基づく画面と、ハードディスクドライブ３０からの再生画面とを切り替えるためのものである。スイッチ回路８は、システムコントローラ１０により制御される。受信しているテレビジョン放送又は外部ビデオ入力端子６からのビデオ信号に基づく画面を映出する場合には、スイッチ回路８が端子８Ａ側に切り替えられる。ハードディスクドライブ３０からの再生画面を映出する場合には、スイッチ回路８が端子８Ｂ側に切り替えられる。
【００２７】
スイッチ回路８の出力が映像出力回路９に供給される。映像出力回路９は、スイッチ回路８からのコンポーネットビデオ信号Ｙ、Ｕ、Ｖから、３原色信号Ｒ、Ｇ、Ｂを形成するマトリクス回路と、この３原色信号Ｒ、Ｇ、Ｂをドライブしてカラー受像管１１に供給するための映像増幅回路とを有する。映像出力回路９で、スイッチ回路８からのコンポーネントビデオ信号Ｙ、Ｕ、Ｖが３原色信号Ｒ、Ｇ、Ｂに変換され、カラー受像管１１に供給される。
【００２８】
また、中間周波数回路３の出力の例えば４．５ＭＨｚのビート成分から検波れた音声信号は、音声復調回路１２に供給される。音声復調回路１２で、オーディオ信号が復調される。このオーディオ信号がオーディオソース切り替えスイッチ１３の入力端子１３Ａに供給される。
【００２９】
オーディオソース切り替えスイッチ１３の他方の端子１３Ｂには、外部オーディオ入力端子１４からのオーディオ信号が供給される。オーディオソース切り替えスイッチ１３により、受信されたテレビジョン放送に基づくオーディオ信号と、外部オーディオ入力端子１４からのオーディオ信号とが選択される。
【００３０】
オーディオソース切り替えスイッチ１３の出力は、スイッチ回路１５の端子１５Ａに供給されると共に、音声信号をハードディスクドライブ３０に保存するために、Ａ／Ｄコンバータ２５に供給される。スイッチ回路１５の他方の入力端子１５Ｂには、ハードディスクドライブ３０からの音声信号を出力するために、Ｄ／Ａコンバータ３８の出力が供給される。
【００３１】
スイッチ回路１５は、受信しているテレビジョン放送又は外部オーディオ入力端子１４からのオーディオ信号と、ハードディスクドライブ３０から再生されたオーディオ信号との切り替えを行なうものである。スイッチ回路１５は、システムコントローラ１０により制御される。受信しているテレビジョン放送又は外部オーディオ入力端子１４からのオーディオ信号を出力する場合には、スイッチ回路１５が端子１５Ａ側に切り替えられる。ハードディスクドライブ３０からのオーディオ信号を出力する場合には、スイッチ回路１５が端子１５Ｂ側に切り替えられる。
【００３２】
スイッチ回路１５の出力がオーディオアンプ１６に供給される。オーディオアンプ１６で、スイッチ回路１５からのオーディオ信号が増幅される。このオーディオ信号がスピーカ１７に供給される。
【００３３】
また、ビデオ信号処理回路７からのコンポーネントビデオ信号Ｙ、Ｕ、Ｖは、ハードディスクドライブ３０で保存するために、Ａ／Ｄコンバータ２１に供給される。Ａ／Ｄコンバータ２１で、ビデオ信号処理回路１７からのコンポーネントビデオ信号がディジタル化される。Ａ／Ｄコンバータ２１の出力がフィールドメモリ２２に供給される。フィールドメモリ２２の出力が画像圧縮回路２３に供給される。画像圧縮回路２３で、このコンポーネントビデオ信号が圧縮される。画像の圧縮方式としては、例えば、モーションＪＰＥＧが用いられ、１フィールドの符号量が等しくなるように圧縮される。画像圧縮回路２３で圧縮されたビデオデータは、バッファメモリ２４を介して、バス２９に送出される。
【００３４】
オーディオソース切り替え回路１３からのオーディオ信号は、ハードディスクドライブ３０で保存するために、Ａ／Ｄコンバータ２５に供給される。Ａ／Ｄコンバータ２５で、オーディオソース切り替え回路１３からのオーディオ信号がディジタル化される。Ａ／Ｄコンバータ２５の出力が音声圧縮回路２６に供給される。音声圧縮回路２６で、オーディオ信号が圧縮される。音声の圧縮方式としては、例えば、ノンリニアＰＣＭが用いられる。音声圧縮回路２６で圧縮されたオーディオデータは、バッファアンプ２８を介して、バス２９に送出される。
【００３５】
バッファメモリ２４からのビデオデータと、音声圧縮回路２６からのオーディオデータは、固定長のブロックに合成される。各ブロックには、ブロックを識別するための所定のヘッダが設けられる。
【００３６】
このように、ブロック化されたビデオデータとオーディオデータが、ＣＰＵ（Central Processing Unit ）からなる記録／再生コントローラ２７の制御の基に、バス２９を介して、ハードディスクドライブ３０に記録される。これにより、ハードディスクドライブ３０にビデオデータ及オーディオデータが貯えられる。
【００３７】
ハードディスクドライブ３０に記録されているビデオデータ及び及びオーディオデータは、記録／再生コントローラ２７の制御の基に、再生される。ハードディスクドライブ３０からの再生データは、バス２９を介して、バッファメモリ３１及び３６に供給される。
【００３８】
バッファメモリ３１からのビデオデータは、画像伸長回路３２に供給される。画像伸長回路３２で、例えばモーションＪＰＥＧで圧縮されていたビデオデータから、コンポーネントビデオデータＹ、Ｕ、Ｖが形成される。画像伸長回路３２の出力が、マルチ画面を形成するための画像処理回路３３、フィールドメモリ３４を介して、Ｄ／Ａコンバータ３５に供給される。Ｄ／Ａコンバータ３５で、ディジタルビデオ信号がアナログビデオ信号に変換される。このＤ／Ａコンバータ３５の出力がスイッチ回路８の端子８Ｂに供給される。
【００３９】
また、バッファメモリ３６からのオーディオデータは、音声伸長回路３７に供給される。音声伸長回路３７の出力がＤ／Ａコンバータ３８に供給される。Ｄ／Ａコンバータ３８によりディジタルオーディオ信号がアナログオーディオ信号に変換される。このＤ／Ａコンバータ３８の出力がスイッチ回路１５の端子１５Ｂに供給される。
【００４０】
システムコントローラ１０は、テレビジョン受像機の全体の制御を行なっている。システムコントローラ１０と、記録／再生処理コントローラ２７とは、双方向に接続される。
【００４１】
システムコントローラ１０には、受光部４２を介して、リモートコマンダ５２から入力が与えられる。このリモートコマンダ５２からの入力に基づいて、各種の動作が設定される。システムコントローラ１０の出力が表示発生回路４４に供給される。表示発生回路４４からは、各種の動作設定状態を示す表示信号が発生される。この表示発生回路４４の出力が映像出力回路９に供給され、各種の動作状態が画面上に表示される。また、システムコントローラ１０に対して、タイマ４５が設けられる。タイマ４５は、番組を保存する時間を設定する際に用いられる。
【００４２】
この発明が適用されたテレビジョン受像機は、図２に示すように、リモートコマンダ５２を用いて操作することができる。
【００４３】
リモートコマンダ５２には、テレビジョン受像機の基本的な設定を行なうための各種のキー、すなわち、テレビジョン受像機の電源のオン／オフするための電源スイッチ６１、チャンネル設定を行なうためのチャンネルキー６２、６２、６２、・・・、チャンネルアップ／ダウンキー６３Ａ及び６３Ｂ、音量アップ／ダウンキー６４Ａ及び６４Ｂ、入力ソース切り換えスイッチ６５が配設される。
【００４４】
更に、この発明が適用されたテレビジョン受像機を操作するためのリモートコマンダ５２には、テレビジョン受像機のハードディスクドライブ３０の記録／再生を制御するための各種のキーとして、番組ポーズキー６６、ブックマーク記録キー６７、区間リピートキー６８、キャンセルキー６９、逆転スキップ再生キー７０、逆転高速送りキー７１、２倍速キー７２、正転高速送りキー７３、正転スキップキー７４、オーバービュー検索キー７５、矢印キー７６Ａ、７６Ｂ、決定キー７７が配設される。
【００４５】
番組ポーズキー６６が押されると、受信中の画面がその場で停止され、静止画として表示される。その間、テレビジョン受像機のハードディスクドライブ３０に、その番組が記録される。番組ポーズキー６６が再び押されると、静止画となっている所の場面から、ハードディスクドライブ３０に記録されている番組が再生される。
【００４６】
ブックマーク記録キー６７が押されると、このとき放送されている番組をテレビジョン受像機のハードディスクドライブ３０に保存させることができる。
【００４７】
区間リピートキー６８により、リピート再生が設定される。区間リピートキー６８が最初に押されると、リピートの開始位置が設定され、区間リピートキー６８が次に押されると、リピートの終了位置が設定される。
【００４８】
キャンセルキー６９は、設定された動作や機能をキャンセルさせる際に押される。
【００４９】
逆転スキップ再生キー７０、逆転高速送りキー７１、２倍速キー７２、正転高速送りキー７３、正転スキップキー７４は、変速再生行なうためのキーである。
【００５０】
オーバービュー検索キー７５、矢印キー７６Ａ、７６Ｂ、決定キー７７は、番組検索に用いられる。オーバービュー検索キー７５が押されると、テレビジョン受像機の画面が、中央の画面と、周囲の複数の小画面とに分割される。周囲の小画面には、ハードディスクドライブ３０に記録されている画面の中から、所定時間毎の画面が表示される。矢印キー７６Ａ及び７６Ｂの操作により、複数の画面の中から、所望の画面が選択され、再生開始位置が検索されると、決定キー７７が押される。決定キー７７が押されると、選択された画面から再生が開始される。
【００５１】
このように、この発明が適用されたテレビジョン受像機のリモートコマンダ５２には、オーバービュー検索キー７５が設けられている。このオーバービュー検索キー７５を用いると、ハードディスクドライブ３０に記録されている情報の中から所望の再生開始位置を簡単に検索することができる。
【００５２】
つまり、ハードディスクドライブ３０の記録時間を例えば６０分とすると、オーバービュー検索キー７５が押されると、この６０分の記録画面が例えば５分毎に分割され、５分毎の画面がインデックス画像として表示される。
【００５３】
すなわち、図３に示すように、画面８０が複数の小画面８１Ａ、８１Ｂ、８１Ｃ、・・・・に分割される。画面８１Ａの画面を「０分」の画面とすると、画面８１Ｂ、８１Ｃ、８１Ｄ、・・・・には、「５分」、「１０分」、「１５分」・・・・の画面が表示される。各画面８１Ａ、８１Ｂ、８１Ｃ、・・・・の時間順は、ユーザが認識しやすいように、時計回りとされている。各画面８１Ｂ、８１Ｃ、８１Ｄ、・・・・中には、経過時間が文字表示される。中央の小画面８３には、選択されている画面の動画が映出される。
【００５４】
これら５分毎の画面８１Ａ、８１Ｂ、８１Ｃ、・・・・から、所望の注目画面が選択される。注目画面の選択は、リモートコマンダの矢印キー７６Ａ及び７６Ｂの操作により行なわれる。画面８１Ａ〜８１Ｌの中で、選択された画面には、他の画面枠とは異なる画面枠８２が表示される。これと共に、中央の画面８０には、選択された注目画面に対応する動画像が映出される。この動画像中には、経過時間が文字表示される。現在再生されている時間帯がどのインデックス画像の時間帯と関連付けられているかは、画面枠の色を同じにすることにより視覚的に分かるようにされている。
【００５５】
更に、オーバービュー検索キー７５が押されると、図３Ｂに示すよう、各画面が１分づつオフセットされ、画面８１Ａ、８１Ｂ、８１Ｃ、８１Ｄ、・・・・には、「１分」、「６分」、「１１分」、「１６分」、・・・・の画面が表示される。そして、更に、オーバービュー検索キー７５が押されると、各画面が更に１分づつオフセットされ、画面８１Ａ、８１Ｂ、８１Ｃ、８１Ｄ、・・・・には、「２分」、「７分」、「１２分」、「１７分」の画面が表示される。
【００５６】
ユーザは、これらのインデックス画面８１Ａ、８１Ｂ、８１Ｃ、・・・・を見ながら、動画再生を開始したい時間帯を検索する。動画再生を開始したい時間帯が検索されると、決定キー７７が押される。決定キー７７が押されると、図３Ｃに示すように、フル画面表示となり、選択された時刻の画面から動画の再生が開始される。
【００５７】
このように、この発明では、現在再生されている時間帯がどのインデックス画像の時間帯と関連付けられているかは、例えば画面枠の色を同じにすることにより視覚的に分かる。また、各画面８１Ａ、８１Ｂ、８１Ｃ、８１Ｄ、・・・・に映出されるインデックス画面の時間順は、実生活を考慮して、時計回りとされている。また、各インデックスの画面８１Ａ、８１Ｂ、８１Ｃ、８１Ｄ、・・・・には、経過時間が文字表示され、中央の画面８３の動画像には、詳細な再生経過時間が文字表示される。このため、ユーザは時間の認識がしやすく、検索が容易である。
【００５８】
このように、オーバービュー検索キー７５が押されると、ハードディスクドライブ３０に記録されている６０分の記録画面が例えば５分毎に分割され、複数の画面８１Ａ、８１Ｂ、８１Ｃ、８１Ｄ、・・・・に映出される。更に、オーバービュー検索キー７５が押されると、各画面が１分づつオフセットされている。したがって、これらのインデックス画面８１Ａ、８１Ｂ、８１Ｃ、８１Ｄ、・・・・のどこかで、ユーザが検索したい画面のインデックスとなる画像が映出され、この画面から、所望の再生開始位置を検索することができる。
【００５９】
図４は、このようにハードディスクドライブ３０に保存されている画像情報を所定時間毎に分割して表示するようにして、所望の再生開始位置を簡単に検索できるようにするための処理を示すフローチャートである。
【００６０】
図４において、オーバービュー検索キー７５が押されたか否かにより、図３に示したようなインデックス画面を作成するか否かが判断される（ステップＳＴ１）。インデックス画面を作成する場合には、分割時刻Ｔ、分割間隔ｔ、オフセット時間ｎ（ｎ＝０）が設定される（ステップＳＴ２）。
【００６１】
ハードディスクドライブ３０に記録されている画像情報が、分割時刻Ｔで、分割間隔ｔ毎に分割される（ステップＳＴ３）。なお、この発明では、ハードディスクドライブ３０には、１フィールドのビデオデータが固定長のフィールドに圧縮されて記録されている。このため、ハードディスクドライブ３０のアドレスと、録画時間とが対応関係にある。したがって、単純なアドレス演算により、ハードディスクドライブ３０に記録されている画像情報を所定時間毎に分割することができる。
【００６２】
ハードディスクドライブ３０の画像情報が所定時間毎に分割されたら、その画面がアクセスされ、これらの分割画面からインデックス画像が作成されると共に、検索画面が作成され、これらが表示される（ステップＳＴ４）。これにより、図３Ａに示したように、多画面上に、各時間毎の画像がインデックス画面として表示されるようになる。
【００６３】
このような多画面上で、所望の動画再生を行なう時間帯が選択され（ステップＳＴ５）、インデックス画面を更新するか否かが判断される（ステップＳＴ６）。インデッスク画面を更新する場合には、オーバービュー検索キー７５が更に押される。
【００６４】
インデックス画面の更新を行なう場合には、オフセット時間ｎが設定され（ステップＳＴ７）、ステップＳＴ３にリターンされる。これにより、図３Ｂに示したように、オフセット時間ｎだけ進められたインデックス画面が多画面表示されることになる。
【００６５】
ステップＳＴ６でインデックス画面の更新を行なわない場合には、多画面上で動画再生を開始する画面が決定されたか否かが判断される（ステップＳＴ８）。動画再生を開始したい画面の時間帯が設定される際には、決定キー７７が押される。決定キー７７が押され、動画再生を開始したい時間帯が決定されると、その時間のビデオデータがハードディスクドライブ３０から読み出され、図３Ｃに示したように、その動画がフル画面で表示される（ステップＳＴ９）。
【００６６】
なお、上述のように、この発明が適用されたテレビジョン受像機では、１フールドのデータが固定長となるように、ビデオデータがモーションＪＰＥＧで圧縮されている。このため、単純なアドレス演算により、ハードディスクドライブ３０に記録されている画像情報を所定時間毎に分割したり、また、オフセット時間を与えたりすることができる。これらの演算は、例えば、システムコントローラ１０で行なわれ、この演算結果に基づいて、ハードディスクドライブ３０がアクセスされる。
【００６７】
つまり、この発明が適用されたテレビジョン受像機では、ハードディスクドライブ３０にビデオデータを圧縮して記録する場合、画像圧縮回路２３で、１フィールドの圧縮データが等しくなるように圧縮処理される。これは、例えば、入力ビデオデータを１／４フィールドにコマ落としし、同一フィールドのビデオデータに対する圧縮を複数回を試みて符号量を推定し、所定の符号量となるように量子化テーブルを設定することによりなされる。
【００６８】
所定の符号量とされた１フィールドのビデオデータは、図５に示すように、固定長のブロックにブロック化される。図５に示すように、各ブロックは、１フィールドが固定長で圧縮されたビデオデータと、オーディオデータとからなり、各ブロックの先頭には、ブロックを識別するための所定のヘッダが設けられる。このように、この固定長のブロックをファイルとして、データがハードディスクドライブ３０に記録される。
【００６９】
このように、各フィールドの画像を固定長のファイルとしてハードディスクドライブ３０に記録しているため、ある分割時刻Ｔのインデックス画像のハードディスク３０上でのアクセス・アドレスは、録画開始時刻からの経過時間をフィールト数に換算することにより、単純な演算により求めることができる。つまり、ハードディスク（ＨＤＤ）上の論理アドレスは、ハードディスクのスタートアドレスに、経過時間から換算したフィールド数とブロック固定長セクタ数とから以下のように求められる。
（ＨＤＤ上の論理アドレス）＝
（ＨＤＤのスタートアドレス＋（フィールド数）×（ブロック固定セクタ長）
【００７０】
フィールド数の換算は、録画した１フィールトが実時間の何秒に相当するかで規定できるので、容易に算出できる。例えば、１／４フィールドのコマ落としをして再生する場合には、１フィールド分の画像データは、約０．２５秒に相当する。
【００７１】
以上のように、この発明が適用されたテレビジョン受像機では、オーバービュー検索キー７５が押されると、６０分の記録画面が例えば５分毎に分割され、５分毎の複数の画面８１Ａ、８１Ｂ、８１Ｃ、８１Ｄ、・・・・に映出される。更に、オーバービュー検索キー７５が押されると、各画面が１分づつオフセットされている。したがって、これらのインデックス画面８１Ａ、８１Ｂ、８１Ｃ、８１Ｄ、・・・・のどこかで、ユーザが検索したい画面のインデックスとなる画像が映出され、この画面から、所望の記録位置を検索することができる。そして、ハードディスクドライブ３０には、１フィールドが固定長に圧縮されてビデオデータが記録されるため、単純なアドレス演算により、各時間毎の再生画面を表示することができる。
【００７２】
なお、この実施例では、受信画面に基づくビデオデータをハードディスクドライブに保存するようにしているが、この発明は、他の記録媒体、例えば、受信画面に基づきビデオデータを半導体メモリに保存するような場合にも同様に適用することがてきる。
【図面の簡単な説明】
【００７３】
【図１】この発明が適用されたテレビジョン受像機の一例のブロック図である。
【図２】この発明が適用されたテレビジョン受像機におけるリモートコマンダの説明に用いる平面図である。
【図３】インデッスク画面の説明に用いる略線図である。
【図４】インデッスク画面の説明に用いるフローチャートである。
【図５】この発明が適用されたテレビジョン受像機におけるデータ構造の説明に用いる略線図である。
【符号の説明】
【００７４】
２２、３４・・・フィールドメモリ
２３・・・画像圧縮回路
３０・・・ハードディスクドライブ
７５・・・オーバービュー検索キー
【図１】
0004497169.tif 000002
【図２】
0004497169.tif 000003
【図３】
0004497169.tif 000004
【図４】
0004497169.tif 000005
【図５】
0004497169.tif 000006